(57)【要約】【課題】調理者の手元を効果的に照明して手元が見えにくくなることを効果的に防止できる照明装置を備えたキッチン台を提供すること。【解決手段】キッチン台１の上部における少なくとも一部が導光板１４により覆われているとともに、照明装置が、前記導光板１４の前後側面に沿って、かつ該導光板１４の側面に向けてそれぞれ光を照射可能に配置されており、面板１４上面全域が面発光するようになっている。また、電磁加熱器が使用されると、加熱部９ａに対応する領域が赤光色にて面発光するとともに、蛇口５が使用されると、シンク部４の底面が青光色にて面発光し、それぞれの使用状況が光により報知される。さらに、加熱温度や水の使用量に応じて発光色や輝度等が変化する。【選択図】図７
2007151717.tif 000002
【特許請求の範囲】
【請求項１】
照明装置を備えるキッチン台であって、
前記キッチン台の上部における少なくとも一部が導光板により覆われているとともに、前記照明装置が、前記導光板の側面に沿って、かつ該導光板の側面に向けて光を照射可能に配置されている、ことを特徴とする照明装置を備えるキッチン台。
【請求項２】
前記キッチン台の上部所定箇所に、電磁誘導加熱式の電磁加熱器が埋設されており、該電磁加熱器の上面が前記導光板により覆われている、ことを特徴とする請求項１に記載の照明装置を備えるキッチン台。
【請求項３】
前記照明装置の制御を行う制御装置を備え、
前記キッチン台の上面には、前記電磁加熱器によって食品の加熱を行う加熱部と、水栓を有するシンク部と、が設けられており、
前記制御装置は、前記電磁加熱器や前記水栓の使用状態の変化に応じて照射態様を変化させる、ことを特徴とする請求項２に記載の照明装置を備えるキッチン台。
【請求項４】
前記照明装置は、前記導光板の側面における前記加熱部に対応する箇所と前記シンク部に対応する箇所とをそれぞれ個別に照射可能に設けられている、ことを特徴とする請求項３に記載の照明装置を備えるキッチン台。
【請求項５】
前記照明装置は、前記導光板の側面に沿って延びるカバー部材の内部に収容されている、ことを特徴とする請求項１ないし４のいずれかに記載の照明装置を備えるキッチン台。
【請求項６】
前記照明装置とは別個に設けられた補助照明装置が、前記導光板の側面に沿って、かつ該導光板の側面以外の箇所を照射可能に配置されている、ことを特徴とする請求項１ないし５のいずれかに記載の照明装置を備えるキッチン台。
【発明の詳細な説明】
【技術分野】
【０００１】
本発明は、照明装置を備えるキッチン台に関する。
【背景技術】
【０００２】
従来、キッチンスペースやキッチン台の上面を照明する照明装置としては、一般的にはキッチン台の上方に配設された棚の下面に設けられた蛍光灯や（例えば、特許文献１参照）、キッチン台の上方に配設された棚の下面から吊支された水切棚に設けられたＬＥＤ等がある（例えば、特許文献２参照）。
【０００３】
【特許文献１】特開２００２−２７２５４２号公報（第３頁、第１図）
【特許文献２】特開２００１−１１８４２２号公報（第３頁、第１図）
【発明の開示】
【発明が解決しようとする課題】
【０００４】
しかしながら、上記特許文献１、２に記載された蛍光灯やＬＥＤ等の照明装置は、キッチン台の上面を上方から照明するものであり、このような照明装置にてキッチン台上面を上方から照明する場合、該照明装置の配置位置によっては、調理者が調理作業を行う際において、キッチン台の上面に影ができて手元が見えにくくなり、調理しにくいことがあった。
【０００５】
本発明は、このような問題点に着目してなされたもので、調理者の手元を効果的に照明して手元が見えにくくなることを効果的に防止できる照明装置を備えたキッチン台を提供することを目的とする。
【課題を解決するための手段】
【０００６】
前記課題を解決するために、本発明の請求項１に記載の照明装置を備えたキッチン台は、
照明装置を備えるキッチン台であって、
前記キッチン台の上部における少なくとも一部が導光板により覆われているとともに、前記照明装置が、前記導光板の側面に沿って、かつ該導光板の側面に向けて光を照射可能に配置されている、ことを特徴としている。
この特徴によれば、照明装置により導光板の側面が照射されることにより、キッチン台の上部における導光板にて覆われた部分がほぼ均一に面発光することで、キッチン台上面で調理を行う調理者の手元が下方からの光により照明され、これにより上方からの照明による影ができにくくなるため、調理者の手元が明るくなり、調理時における作業性が効果的に向上する。
また、キッチン空間をアップライトにより明るくして、調理や食事の団欒等を効果的に演出することができる。
【０００７】
本発明の請求項２に記載の照明装置を備えたキッチン台は、請求項１に記載の照明装置を備えたキッチン台であって、
前記キッチン台の上部所定箇所に、電磁誘導加熱式の電磁加熱器が埋設されており、該電磁加熱器の上面が前記導光板により覆われている、ことを特徴としている。
この特徴によれば、電磁加熱器の上面が導光板により覆われることで、電磁加熱器の非使用時において電磁加熱器の上面を調理スペースとして利用できるばかりか、電磁加熱器の配置位置上面の照明が可能となるので、キッチン台の上面を広範囲にわたって照明することができる。
【０００８】
本発明の請求項３に記載の照明装置を備えたキッチン台は、請求項２に記載の照明装置を備えたキッチン台であって、
前記照明装置の制御を行う制御装置を備え、
前記キッチン台の上面には、前記電磁加熱器によって食品の加熱を行う加熱部と、水栓を有するシンク部と、が設けられており、
前記制御装置は、前記電磁加熱器や前記水栓の使用状態の変化に応じて照射態様を変化させる、ことを特徴としている。
この特徴によれば、電磁加熱器や水栓の使用状態を、調理者等に対して光により視覚的に認識させることができるとともに、調理者等がキッチン台から離れた場所にいる場合でも、光により確実に認識することができる。
尚、照射態様を変化させるとは、照明装置からの照射光の発光色を変える、点灯態様を変える（点灯から点滅に変える、あるいは点滅速度を変える）、輝度を変える等、種々の要素を含む。
【０００９】
本発明の請求項４に記載の照明装置を備えたキッチン台は、請求項３に記載の照明装置を備えたキッチン台であって、
前記照明装置は、前記導光板の側面における前記加熱部に対応する箇所と前記シンク部に対応する箇所とをそれぞれ個別に照射可能に設けられている、ことを特徴としている。
この特徴によれば、例えば導光板における加熱部とシンク部とをそれぞれ異なる照射態様にて面発光させることができるため、電磁加熱器や水栓の使用状況をそれぞれ個別に認識させることができる。
【００１０】
本発明の請求項５に記載の照明装置を備えたキッチン台は、請求項１ないし４のいずれかに記載の照明装置を備えたキッチン台であって、
前記照明装置は、前記導光板の側面に沿って延びるカバー部材の内部に収容されている、ことを特徴としている。
この特徴によれば、照明装置がカバー部材により保護されるため、熱や水の浸入による破損や故障等を防止できる。
【００１１】
本発明の請求項６に記載の照明装置を備えたキッチン台は、請求項１ないし５のいずれかに記載の照明装置を備えたキッチン台であって、
前記照明装置とは別個に設けられた補助照明装置が、前記導光板の側面に沿って、かつ該導光板の側面以外の箇所を照射可能に配置されている、ことを特徴としている。
この特徴によれば、補助照明装置により例えばキッチン台の上方を照明することで、上方からの照明光によるグレアを防止することができるとともに、キッチン台の下方を照明することで、調理者の足元を効果的に明るくすることができる。
【発明を実施するための最良の形態】
【００１２】
本発明に係る照明装置を備えたキッチン台を実施するための最良の形態を実施例に基づいて以下に説明する。
【実施例】
【００１３】
本発明の実施例を図面に基づいて説明すると、先ず図１は、本発明の実施例としての照明装置を備えたキッチン台を示す斜視図であり、図２は、図１のキッチン台を示す平面図であり、図３は、図２のＡ−Ａ断面図であり、図４（ａ）は図３のＢ−Ｂ断面図であり、図４（ｂ）はＬＥＤモジュールを示す斜視図であり、図５は、キッチン台に設けられた各種装置の構成を示すブロック図であり、図６は、キッチン台における各部の照明態様を示す表図であり、図７は、図１のキッチン台の照明装置の使用状態を示す斜視図である。
【００１４】
図１の符号１は、室内空間をキッチン空間Ｋとダイニング空間Ｄとに仕切るように配置される平面視横長の長方形状に構成されたキッチン台を示しており、キッチン空間Ｋに居る使用者が、ダイニング空間Ｄに居る人とが対面しながら調理作業を行うことができるようになっている。尚、以下において、キッチン空間Ｋ側を前側、ダイニング空間Ｄ側を後側として説明する。
【００１５】
図１示すように、キッチン台１の上部に設けられた天板２には、天板２の上面が凹むように形成された横長の凹部３が形成されているとともに、この凹部３内には、図３、図４（ｂ）に示すように、凹部３における左右方向（キッチン台１の長手方向）に渡って延びる長方形状の１枚の面板１４（導光板）が配設されており、該面板１４により凹部３の底面が形成されているとともに、該面板１４は、後述する主照明装置（照明装置）によって上面全域が面発光するようになっている。この凹部３における左方側は深さが浅く形成されており、手作業によって食品を切る等の加工作業を行うための調理部Ｃとして使用できるようになっている。また、凹部３の右方側は左方側よりも深く形成されており、食器の洗浄等を行うシンクを有するシンク部４として使用できるようになっている。
【００１６】
シンク部４におけるシンクの後側には、水や湯を供給する蛇口５（水栓）が設けられるとともに、図２に示すように、シンク部４の底面には排水口６が設けられているとともに、凹部３における調理部Ｃとシンク底面との間には、シンク部４の一部を構成するとともに、調理部Ｃからシンクの底面にまで連なる傾斜面からなる傾斜部７が形成されている。
【００１７】
天板２の上面後端縁部には、水や油等の飛散を防止するバックパネル３５が立設されているとともに、天板２における凹部３の後側辺部近傍には、左右方向に延びる照射窓２５が設けられており、後述する照明装置からの照射光が、該照射窓２５を通して上方に向けて照射されるようになっている。
【００１８】
図１及び図２に示すように、天板２上の左端側には、面板１４上で加熱中に調理器具１０から発生する湯気や油撥ね等を吸い込むための吸気口１５が設けられており、この吸気口１５は天板２の下方に配置された吸気装置１６（図３、図５参照）に接続されている。吸気装置１６は、後述する電磁加熱器９の作動時に作動されるようになっており、吸気装置１６によって吸気された空気は、壁面内若しくは床面内に配設された排気ダクト（図示略）を通じて屋外に排気されるようになっている。
【００１９】
図１〜図３に示すように、調理部Ｃにおける左側端部には電磁加熱器９が設けられており、調理部Ｃの一部を電磁加熱器９によって食品の加熱を行う加熱部として兼用できるようになっている。
【００２０】
この電磁加熱器９は、電磁誘導加熱式のＩＨ(Induction Heater)加熱器で構成されている。詳しくは、本実施例における電磁加熱器９は、内部に磁力発生用コイル（図示略）を備えており、この磁力発生用コイル（図示略）によって発生させた磁力線が、金属製の調理器具１０（図３参照）の内部を通過する際に調理器具１０の内部に渦電流が発生し、その電気抵抗によって発生するジュール熱を利用して調理器具１０に保持された食品を加熱するものである。
【００２１】
尚、電磁加熱器９に使用される調理器具１０としては、鉄・鉄ホーロー・鉄鋳物・ステンレスなどの材質で、磁気の作用を受けない、或いは、電気抵抗の小さい材質は、渦電流の発生が少なくてジュール熱が殆ど発生しないので、ガラスや陶器やセラミックス等の非金属の材質で形成された調理器具や、アルミニウムや銅等の非鉄金属の材質で形成された調理器具は、電磁加熱器９に使用される調理器具としては不適である。
【００２２】
更に、図１及び図２に示すように、電磁加熱器９の上面に配置された複数の加熱部９ａそれぞれの外周には、発光ダイオード等が円形状に配置されて構成された作動確認用ＬＥＤ１７が設けられており、電磁加熱器９を作動させると、各加熱部９ａに対応する作動確認用ＬＥＤ１７が点灯されるようになっている。尚、この作動確認用ＬＥＤ１７は、加熱部９ａの加熱温度により、発光色や、点灯や点滅などの点灯態様が変化するようになっており、いずれの加熱部９ａがどのくらいの温度で作動中であるのか、使用者が容易に確認できるようになっている。
【００２３】
キッチン台１の前面下方には、図１に示すように、調理器具や調味料等をキッチン台１内部に収納可能な多数の引き出し８が設けられているとともに、引き出し８の上方における加熱部に対応する位置には、電磁加熱器９や後述する主照明装置の操作を行うための操作部１１が設けられている。本実施例における操作部１１は、タッチセンサー式の液晶表示器１２（図５参照）のディスプレイパネル１２ａにて構成されており、該ディスプレイパネル１２ａはキッチン台１の前面側に臨むように配置されている。ディスプレイパネル１２ａ上には、特に図示しないが、電磁加熱器９の電源スイッチ、加熱温度調整スイッチ等が表示されるとともに、後述する主照明装置や補助照明装置の電源スイッチや各種設定スイッチ等、照明装置に関わる種々のスイッチが表示されるようになっている。
【００２４】
面板１４は、特に図４（ｂ）に示されるように、所定の厚み（例えば約２ｃｍ）に形成されているとともに、半透光性を有する耐熱ガラスで構成されており、この面板１４によって調理部Ｃ、傾斜部７、シンク部４の底面が構成されている。尚、調理部Ｃの面板１４の上面は段差の無い平坦面となっている。
【００２５】
面板１４の後側辺部には、図２及び図４、図５に示すように、ＬＥＤが複数設けられたＬＥＤ基板（図４（ａ）参照）からなる主照明装置としての主ＬＥＤモジュール２０ａ，２０ｂ，２０ｃと、ＬＥＤが複数設けられたＬＥＤ基板からなる補助照明装置としての補助ＬＥＤモジュール２１ａ，２１ｂ，２１ｃがそれぞれ設けられている。また、面板１４の前側辺部には、ＬＥＤが複数設けられたＬＥＤ基板（図４（ａ）参照）からなる主照明装置としての主ＬＥＤモジュール２０ｄ，２０ｅ，２０ｆと、ＬＥＤが複数設けられたＬＥＤ基板からなる補助照明装置としての補助ＬＥＤモジュール２１ｄ，２１ｅ，２１ｆがそれぞれ設けられている。
【００２６】
尚、本実施例における主ＬＥＤモジュール２０ａ〜２０ｆ、補助ＬＥＤモジュール２１ａ〜２１ｆにおける各ＬＥＤ（発光ダイオード）は、赤（Ｒ）、緑（Ｇ）、青（Ｂ）の発光素子を有し、７色（フルカラー）発光可能なＬＥＤとされている。
【００２７】
詳しくは、主ＬＥＤモジュール２０ａ及び補助ＬＥＤモジュール２１ａは、調理部Ｃの後辺部に沿って配置されるＬＥＤカバー２２ａ内に収容され、主ＬＥＤモジュール２０ｂ及び補助ＬＥＤモジュール２１ｂは、傾斜部７の後辺部に沿って配置されるＬＥＤカバー２２ｂ内に収容され、主ＬＥＤモジュール２０ｃ及び補助ＬＥＤモジュール２１ｃは、シンク部４の後辺部に沿って配置されるＬＥＤカバー２２ｃ内にそれぞれ個別に収容されている。また、主ＬＥＤモジュール２０ｄ及び補助ＬＥＤモジュール２１ｄは、調理部Ｃの前辺部に沿って配置されるＬＥＤカバー２２ｄ内に収容され、主ＬＥＤモジュール２０ｅ及び補助ＬＥＤモジュール２１ｅは、傾斜部７の前辺部に沿って配置されるＬＥＤカバー２２ｅ内に収容され、主ＬＥＤモジュール２０ｆ及び補助ＬＥＤモジュール２１ｆは、シンク部４の前辺部に沿って配置されるＬＥＤカバー２２ｆ内にそれぞれ個別に収容されている。
【００２８】
ＬＥＤカバー２２ａ〜２２ｆは、図４（ｂ）に示すように、押し出し成型により所定長さのダクト状に形成されてなるアルミ製のカバー材であり、内部には主ＬＥＤモジュール２０ａ〜２０ｆ及び補助主ＬＥＤモジュール２１ａ〜２１ｆを収容可能な収容室Ｓ１、Ｓ２がそれぞれ形成されている。
【００２９】
詳しくは、各ＬＥＤカバー２２ａ〜２２ｆの内側には、それぞれ主ＬＥＤモジュール２０ａ〜２０ｆを収容する収容室Ｓ１が長手方向に向けて形成されているとともに、収容室Ｓ１よりも外側には、補助ＬＥＤモジュール２１ａ〜２１ｆを収容する収容室Ｓ２が長手方向に向けて形成されており、これら収容室Ｓ１、Ｓ２内面は光を反射させるための反射層が形成されている。尚、面材１４の後側辺部に沿って配置されるＬＥＤカバー２２ａ〜２２ｃの内部構造は同一で長さのみが異なっているとともに、面材１４の前側辺部に沿って配置されるＬＥＤカバー２２ｄ〜２２ｆの内部構造は同一で長さのみが異なっており、これらＬＥＤカバー２２ａ〜２２ｃとＬＥＤカバー２２ｄ〜２２ｆとは、それぞれ収容室Ｓ２の形状が異なっている。
【００３０】
各ＬＥＤカバー２２ａ〜２２ｆにおける収容室Ｓ１の内側面には、長手方向に延びる照射用開口が形成され、面板１４の側面１４ａと対向するように配置されるとともに、該照射用開口には照射光を拡散させるための光拡散プリズム２３が設けられており、各主ＬＥＤモジュール２０ａ〜２０ｆは、内側の面板１４の側面１４ａに向けて照射可能に収容室Ｓ１内に配置されている。
【００３１】
面板１４の後側辺部に沿って配置されるＬＥＤカバー２２ａ〜２２ｃにおける収容室Ｓ２は、長手方向に延びる照射用開口が上面に形成されている。該照射用開口は、天板２の上面に形成された照射窓２５に嵌め込まれた光拡散プリズム２４に臨むように配置されており、各補助ＬＥＤモジュール２１ａ〜２１ｃは、上方に向けて照射可能に収容室Ｓ２内に配置されている。
【００３２】
また、面板１４の前側辺部に沿って配置されるＬＥＤカバー２２ｄ〜２２ｆにおける収容室Ｓ２は、長手方向に延びる照射用開口が下面に形成されている。該照射用開口には光拡散プリズム２６が設けられており、各補助ＬＥＤモジュール２１ｄ〜２１ｆは、下方（キッチン空間Ｋの床面）に向けて照射可能に収容室Ｓ２内に配置されている。
【００３３】
つまり、ＬＥＤカバー２２ａ及びＬＥＤカバー２２ｄ、ＬＥＤカバー２２ｂ及びＬＥＤカバー２２ｅ、ＬＥＤカバー２２ｃ及びＬＥＤカバー２２ｆは、面板１４を挟んでそれぞれ対向配置されており、面板１４の側面１４ａにおける調理部Ｃ，傾斜部７，シンク部４それぞれに対応する領域を、面板１４の前後側面１４ａからそれぞれ個別に照射可能に配置されている。
【００３４】
本実施例における面板１４の裏面には、特に図４（ｂ）に示されるように、拡散反射性を有する複数の白色ドット（凸部）が形成された印刷層１３が印刷により形成されており、前後の側面１４ａから面板１４内に向けて照射され、面板１４内を全反射により伝達してきた照射光が所定の位置において前記白色ドットに当たると、その位置において拡散反射が発生し、これにより導光板としての面板１４の上面全域がほぼ均一に面発光するようになっている。尚、白色ドットの大きさ（面積）は、光源から遠くなる（周辺から中央に向けて）ほど大とされ、これにより反射率が高まり、より多くの光が出射されるようになっているため、面板１４の上面全域がほぼ均一に面発光する。
【００３５】
また、面板１４の下方にはステンレス製の反射板２７が配設されており、これにより面板１４が下方から支持されているとともに、面板１４内を全反射により伝達してきた照射光が、鏡面性を有する反射板２７の上面により上方に向けて反射し、該照射光が上方に向けて効率よく出射されるようになっている。
【００３６】
また、本実施例における面板１４は、前述したように透明度（可視光線透過率）が低い（半透光性）ガラス板が用いられているため、前述した作動確認用ＬＥＤ１７が点灯すると、面板１４上面に作動確認用ＬＥＤ１７が浮かび上がるように発現し、作動中の電磁加熱器９の位置を使用者が容易に認識できるばかりか、作動確認用ＬＥＤ１７の近傍の面板１４が広い範囲に渡って輝くようになる。尚、作動確認用ＬＥＤ１７が消灯時には、面板１４の上方から作動確認用ＬＥＤ１７が見えないようになるため、キッチン台１の見栄えが向上するようになっている。
【００３７】
また、電磁加熱器９の上面が所定厚みを有するガラス板からなる面板１４により覆われているため、電磁加熱器９を使用しないときにおいて、電磁加熱器９の加熱部を調理部Ｃとして使用することができる。尚、このような場合、面板１４の上面に、調理時において傷が付くことを防止するための保護層（例えば樹脂コーティング）を形成しておくことが好ましく、このようにすることで、面発光時において、傷がついた箇所から局所的に光が漏れることを防止できる。
【００３８】
また、天板２に凹部３が形成され、その凹部３内に面板１４が配置されているので、調理部Ｃの面板１４の上面は、天板２の上面よりも若干低くなっており、面板１４上に載置された鍋等の調理器具１０から煮こぼれ等が発生しても、面板１４上に多量の水を流せるようになっており、面板１４上の汚れをシンク部４の方へ容易に洗い流せるようになっている。
【００３９】
また、調理部Ｃにおける面板１４の上面を、シンク部４に向かうに従い漸次下方に向けて緩やかに傾斜しているため、面板１４の上面の水はシンク部４に向けて自然流下するようになっている。
【００４０】
更に、調理部Ｃ及びシンク部４に配置される全ての電磁加熱器９が、１枚の面板１４によって覆われ、かつ調理部Ｃにおける面板１４の上面が段差の無い平坦面となっていることによって、面板１４の上面に水を流すなどして容易に清掃ができるとともに、段差によって電磁加熱器９と調理部Ｃが分けられることなく、調理部Ｃの面板１４の上面の広いスペースの任意の範囲を調理部Ｃ及び加熱部として有効に使用することができる。
【００４１】
また、導光板としての面板１４としてガラスを用いれば、透光性を有するとともに、熱伝導率が低い面板１４が形成できるので、作動している電磁加熱器９の近傍であっても、食品の加工を行うことができる調理部Ｃとして使用できるようになり、面板１４の上面の限られた面積を有効に利用できるばかりか、従来、電磁加熱器の面板として用いられているセラミックス等の材質と比較してガラスは加工がし易いので、キッチン台１の上面及びシンク部４の底面など複雑な形状に対応した１枚の広い面積を覆うことのできる面板１４を容易に製造でき、キッチン台１の製造コストを低減させることができる。
【００４２】
次に、キッチン台１における各種装置の構成を、図５に基づいて説明すると、キッチン台１の内部所定箇所には、該キッチン台１に設けられる各種装置を制御する制御部３０ａを有する制御ユニット３０が配設されている。制御部３０ａには、前述した作動確認用ＬＥＤ１７や各加熱部の加熱温度を検知する加熱温度検知センサ３１が接続され、電磁加熱器９の制御を行う加熱器制御部９ａと、電磁加熱器９の作動に連動する吸気装置１６と、蛇口５内に配置され、該蛇口５から流出される流水量を検知する流量検知センサ３２と、主照明装置としての主ＬＥＤモジュール２０ａ〜２０ｆと、補助照明装置としての補助ＬＥＤモジュール２１ａ〜２１ｆと、電磁加熱器９及び主ＬＥＤモジュール２０ａ〜２０ｆ、補助ＬＥＤモジュール２１ａ〜２１ｆの操作部を構成するディスプレイパネル１２ａを備える液晶表示器１２と、が接続されている。
【００４３】
制御部３０ａは、ディスプレイパネル１２ａ上に形成した加熱器用操作ボタン（図示略）が選択されたことが検出されると、該操作された旨を示す信号を電磁加熱器９の制御部９ａに出力する。また、ディスプレイパネル１２ａ上に形成したＬＥＤ用操作ボタン（図示略）が選択されたことが検出されたときや、照明装置が通電状態である場合において、加熱温度検知センサ３１や流量検知センサ３２からの出力に変化が生じたときに、主ＬＥＤモジュール２０ａ〜２０ｆ、補助ＬＥＤモジュール２１ａ〜２１ｆの照射態様を変化させる制御等を行う。
【００４４】
ここで、制御部３０ａが行う主ＬＥＤモジュール２０ａ〜２０ｆの照射制御の一例を、図６の表図及び図７に基づいて説明すると、例えば制御部３０ａは、ディスプレイパネル１２ａ上に形成したＬＥＤ用操作ボタン（図示略）により主ＬＥＤモジュール２０ａ〜２０ｆが通電状態（電源；ｏｎ）とされたとき、全ての主ＬＥＤモジュール２０ａ〜２０ｆを白色にて発光させる。
【００４５】
そして、例えば電磁加熱器９が使用され、加熱温度検知センサ３１により加熱温度に変化が生じたことが検出されたときは、複数の加熱部９ａに対応する位置に配置された主ＬＥＤモジュール２０ａ、２１ａの発光色を白色から赤色に変化させる（図７中における格子状の枠点線にて囲まれた領域（調理部Ｃの一部領域）が赤色で面発光している）。これにより、電磁加熱器９が使用状態となった旨が、面板１４における加熱部に対応する主ＬＥＤモジュール２０ａ、２１ａの発光色及びその変化により報知される。
【００４６】
また、蛇口５が使用され、流量検知センサ３２により流量に変化が生じたことが検出されたときは、シンク部に対応する主ＬＥＤモジュール２０ｃ、２１ｃの発光色を白色から青色に変化させる（図７中網点領域が青色で面発光している）。これにより、蛇口５が使用状態となった旨が、面板１４におけるシンク部に対応する主ＬＥＤモジュール２０ｃ、２１ｃの発光色及びその変化により報知される。
【００４７】
また、特に図示しないが、ディスプレイパネル１２ａ上に形成したＬＥＤ用操作ボタン（図示略）により補助ＬＥＤモジュール２１ａ〜２１ｃが通電状態（電源；ｏｎ）とされたとき、全ての補助ＬＥＤモジュール２１ａ〜２１ｃを白色にて発光させることで、天板２上に形成された照射窓２５から上方に向けて光が照射される（図７参照）。これにより、バックパネル３５の前面が照らされて明るくなるとともに、キッチン台１の上方に設けられる適宜照明装置からの照明光によるグレアを防止することができる。また、照射光をバックパネル３５に向けて照射することで、間接照明となり、キッチン空間Ｋにおける演出効果が高まるとともに、調理者の目に光が直射されることがないため、調理に支障をきたすことがない。
【００４８】
また、特に図示しないが、ディスプレイパネル１２ａ上に形成したＬＥＤ用操作ボタン（図示略）により補助ＬＥＤモジュール２１ｄ〜２１ｆが通電状態（電源；ｏｎ）とされたとき、全ての補助ＬＥＤモジュール２１ｄ〜２１ｆを白色にて発光させることで、天板２の前端縁から下方に向けて光が照射される（図７参照）。これにより、キッチン空間Ｋにおけるキッチン台１の近傍の床面が照らされて足元が明るくすることができるとともに、引き出し８の使用時に収納物が見えやすくなる。また、常夜灯としても利用することができる。
【００４９】
以上説明してきたように、本発明の実施例としてのキッチン台１にあっては、照明装置としての主ＬＥＤモジュール２０ａ〜２０ｆにより、導光板となる面板１４の側面１４ａが照射されることにより、面板１４の上面がほぼ均一に面発光することで、キッチン台上面で調理を行う調理者の手元が下方からの光により照明され、これにより上方からの照明による影ができにくくなり、調理者の手元が明るくなるため、例えば千切りを行うときや、魚の骨抜き等を行うときなど、調理時における作業性が効果的に向上する。また、面板１４の上面から発せられる光は、ＬＥＤからの直接の照射光ではなく、導光板である面板１４内から拡散反射された間接光であるため、下方からの光であっても、調理者の目が疲れにくい。
【００５０】
さらに本実施例では、面板１４はキッチン台１の上面の左右幅（長手幅）全長にわたって延びる１枚のガラス板にて構成され、電磁加熱器９の上面も面板１４により覆われていることで、キッチン台１の左右幅にわたって、キッチン台１の上面を面発光させることができるため、キッチン空間Ｋを効果的に明るくすることができるばかりか、電磁加熱器９の非使用時において電磁加熱器９の上面を調理スペースとして利用できる。
【００５１】
また、制御部３０ａは、加熱温度検知センサ３１や流量検知センサ３２からの検知信号の出力状況の変化に基づいて、電磁加熱器９や蛇口５の使用状態の変化に応じて照射態様(本実施例では発光色)を変化させる制御を行うため、蛇口５や電磁加熱器９の使用状態を、調理者に対して光により視覚的に認識させることができるとともに、調理者等がキッチン台１から離れた場所、例えばダイニング空間Ｄ等にいる場合でも、光により確実に認識させることができる。
【００５２】
また、主照明装置としての主ＬＥＤモジュール２０ａ〜２０ｆは、加熱部及びシンク部４それぞれを別個に照射可能に設けられており、面板１４における加熱部は加熱温度の変化を連想させる赤色光にて照射し、シンク部４は水を連想させる青色光にて照射する等、面板１４における所定領域をそれぞれ異なる発光色にて面発光させることができるため、電磁加熱器９や蛇口５の使用状況をそれぞれ個別に認識させることができる。
【００５３】
また、主照明装置としての主ＬＥＤモジュール２０ａ〜２０ｆは、面板１４の前後側辺部に沿って延びるように配設されたＬＥＤカバー２２ａ〜２２ｆの内部に収容されていることで、ＬＥＤがカバー部材により保護されるため、熱や水の浸入による破損や故障等を防止できる。また、例えば主ＬＥＤモジュールを、横長長方形状の面板１４の左右側辺部に配置した場合に比べて、主ＬＥＤモジュールからの照射光が面板１４の全域に行き渡りやすいので、面板全域をむらなく確実に面発光させることができる。
【００５４】
以上、本発明の実施例を図面により説明してきたが、具体的な構成はこれら実施例に限られるものではなく、本発明の要旨を逸脱しない範囲における変更や追加があっても本発明に含まれる。
【００５５】
例えば、前記実施例では、面板１４の材質に耐熱ガラスを用いているが、本発明はこれに限定されるものではなく、透光性を有する板であればガラス以外のアクリル樹脂等、その他の材質を用いてもよい。
【００５６】
また、前記実施例では、制御部３０ａは、電磁加熱器９の加熱温度や蛇口５の流量に変化が生じたときに、主ＬＥＤモジュール２０ａ〜２０ｆの照射光を白色光から赤色光や青色光に変化させるようにしていたが、発光色は上記色に限定されるものではなく、種々に変更可能である。
【００５７】
また、前記実施例では、電磁加熱器９の加熱温度や蛇口５の流量の変化に応じて主ＬＥＤモジュール２０ａ〜２０ｆの発光色を変化させるようになっていたが、電磁加熱器９や蛇口５以外の装置、例えばキッチン台１またはその周辺に配設される家電機器（グリル、オーブン、電子レンジ、食器洗浄機、冷蔵庫等）の使用状態の変化に応じて、面板１４の全域または一部領域の発光態様を変化させてもよい。
【００５８】
また、前記実施例では発光色を変化させることで電磁加熱器９の加熱温度や蛇口５の流量に変化が生じた旨を報知していたが、例えば照射光を点滅させたり、輝度を変化させること等により、使用状況の変化があった旨を報知するようにしてもよい。
【００５９】
さらに、加熱温度や流量の変化に応じて、発光色、点灯態様（消灯から点灯，点灯から点滅，点滅速度の変化等）、輝度等を変化させるようにしてもよく、このようにすることで、加熱温度や流量の変化をより正確に伝達することができる。
【００６０】
また、前記実施例では、照明装置としてＬＥＤ（発光ダイオード）を適用していたが、例えば冷陰極管や蛍光灯等の照明装置を適用してもよい。
【００６１】
また、前記実施例では、照明装置である主ＬＥＤモジュール２０ａ〜２０ｆ（補助ＬＥＤモジュール２１ａ〜２１ｆ）は、面板１４における前後側面（長手方向の側面）に沿って連続的に配設されていたが、部分的に配設されていてもよい。また、面板１４の左右側面に沿って配設してもよいし、面板１４の側面１４ａ全周（前後左右の側面１４ａ）に沿って配設されていてもよい。また、面板１４もキッチン台１の上部における調理部Ｃの領域のみを覆うように配設されていてもよい。
【００６２】
さらに、キッチン台１の上方や下方を照明する補助照明装置としての補助ＬＥＤモジュール２１ａ〜２１ｆを、主ＬＥＤモジュール２０ａ〜２０ｆとは別個に設けていたが、例えば主ＬＥＤモジュール２０ａ〜２０ｆの照射方向を上下方向に変更可能とし、主ＬＥＤモジュール２０ａ〜２０ｆによりキッチン台１の上方や下方を照明できるようにしてもよい。
【図面の簡単な説明】
【００６３】
【図１】本発明の実施例としての照明装置を備えたキッチン台を示す斜視図である。
【図２】図１のキッチン台を示す平面図である。
【図３】図２のＡ−Ａ断面図である。
【図４】（ａ）は図３のＢ−Ｂ断面図であり、（ｂ）はＬＥＤモジュールを示す斜視図である。
【図５】キッチン台に設けられた各種装置の構成を示すブロック図である。
【図６】キッチン台における各部の照明態様を示す表図である。
【図７】図１のキッチン台の照明装置の使用状態を示す斜視図である。
【符号の説明】
【００６４】
１                キッチン台
２                天板
３                凹部
４                シンク部
５                蛇口（水栓）
９                電磁加熱器
１２              液晶表示器
１２ａ            ディスプレイパネル
１３              反射板
１４              面板（導光板）
１７              作動確認用ＬＥＤ
２０ａ〜２０ｆ    主ＬＥＤモジュール（照明装置）
２１ａ〜２１ｆ    補助ＬＥＤモジュール（補助照明装置）
２２ａ〜２２ｆ    ＬＥＤカバー（カバー部材）
２３，２４，２６  光拡散プリズム
２５              照射窓
２７              反射板
３０              制御ユニット（制御装置）
３０ａ            制御部
３１              加熱温度検知センサ
３２              流量検知センサ
Ｃ                調理部
Ｓ１，Ｓ２        収容室
【図１】
2007151717.tif 000003
【図２】
2007151717.tif 000004
【図３】
2007151717.tif 000005
【図４】
2007151717.tif 000006
【図５】
2007151717.tif 000007
【図６】
2007151717.tif 000008
【図７】
2007151717.tif 000009